(57)【要約】【課題】芯材への被覆体の取付強度を高いものとしつつ、被覆体の芯材への着脱を容易に行うことができるようにする。【解決手段】手摺笠木３０は、芯材４０と、芯材４０を覆うように配置されると共に開放部５１を有する被覆体５０と、を備える。芯材は、芯材の開放部４１の両側に位置する二つの開放端部４６に設けられた被係止部を備え、被覆体は、本体部５２と、本体部よりも硬質な材料で形成される表層部５３と、表層部よりも硬質な材料で形成された補強部５４とを備える。表層部は、被覆体の開放部の両側に位置する二つの開放端部に配置された係止部５５と、本体部の外周面上に配置された表面層５６と、を備える。補強部５４は、係止部に隣接して本体部と表面層との間に配置される。【選択図】図３
2019218739.tif 000002
【特許請求の範囲】
【請求項１】
開放部を有する芯材と、該芯材を覆うように配置されると共に該芯材の開放部と整列して配置された開放部を有する被覆体と、を備える手摺笠木であって、
前記芯材は、該芯材の開放部の両側に位置する二つの開放端部に設けられた被係止部を備え、
前記被覆体は、本体部と、該本体部よりも硬質な材料で形成されると共に該本体部を覆うように形成される表層部と、該表層部よりも硬質な材料で形成された補強部とを備え、
前記表層部は、前記被覆体の開放部の両側に位置する二つの開放端部に配置された係止部と、前記本体部の外周面上に配置された表面層と、を備え、
前記被覆体の係止部は前記芯材の被係止部と係合することができるように形成され、
前記補強部は、前記係止部に接して又は該係止部から前記本体部の径方向の厚み以下の間隔を開けて前記本体部と前記表面層との間に配置される、手摺笠木。
【請求項２】
前記被覆体には前記補強部が複数設けられ、
各補強部は、周方向に部分的に延びるように形成される、請求項１に記載の手摺笠木。
【請求項３】
前記被覆体には前記補強部が二つ設けられ、
各補強部は、前記開放部側の端部において前記係止部に接するように形成される、請求項１又は２に記載の手摺笠木。
【発明の詳細な説明】
【技術分野】
【０００１】
本発明は、手摺笠木に関する。
【背景技術】
【０００２】
従来から、開放部を有する芯材と、この芯材を覆うように配置されると共に芯材の開放部と整列して配置された開放部を有する被覆体とを備える手摺笠木が知られている（例えば、特許文献１）。斯かる手摺笠木では、金属等の剛性の高い材料にて芯材が形成され、これにより荷重によって手摺笠木が変形することが抑制される。加えて、合成樹脂等の柔軟性を有する材料にて被覆体が形成され、これにより人が手摺を把持する際の触り心地を良好なものとすることができる。
【０００３】
特許文献１に記載の手摺笠木では、被覆体は、本体部と、被覆体の開放端部に設けられると共に本体部の両端に隣接して配置された係止部と、本体部及び係止部の外周面上に形成された表面層とを備えるように構成される。本体部は軟質な材料で形成され、係止部及び表面層は半硬質な材料で形成される。
【０００４】
特許文献１によれば、本体部の柔軟性により被覆体を変形させやすいことから、被覆体を芯材に取り付ける際の取付作業を簡単に行うことができるとされている。また、係止部が半硬質の材料で形成されることから、被覆体を一旦芯材に取り付けた後は、芯材への被覆体の取付強度を高いものとすることができるとされている。
【先行技術文献】
【特許文献】
【０００５】
【特許文献１】特開２０１４−８０７４３号公報
【発明の概要】
【発明が解決しようとする課題】
【０００６】
ところで、特許文献１に記載の手摺笠木では、係止部は、本体部から延設される周壁部と、周壁部の先端から内側に向かって延びる内側延在部と、内側延在部の内側先端から周方向に折り返される折り返し部とを備える。このように形成された係止部は半硬質の材料で形成されることから変形しにくく、よって折り返し部は内側延在部に対して変形しにくい。
【０００７】
一方で、芯材に被覆体を取り付けるべく被覆体の係止部を芯材の被係止部に係止するときには、本体部を変形させるだけでなく、折り返し部を内側延在部に対して変形させることが必要になる。同様に、芯材から被覆体を取り外すべく被覆体の係止部を芯材の被係止部から外すときにも、折り返し部を内側延在部に対して変形されることが必要になる。しかしながら、特許文献１に記載の手摺笠木では折り返し部は内側延在部に対して変形しにくいため、被覆体の係止部を芯材の被係止部に係止させたり、芯材の被係止部から外したりすることは必ずしも容易では無かった。
【０００８】
本発明は、上記課題に鑑みてなされたものであって、その目的は、芯材への被覆体の取付強度を高いものとしつつ、被覆体の係止部を芯材の被係止部に容易に係止させたり外したりすることができるような手摺笠木を提供することにある。
【課題を解決するための手段】
【０００９】
本発明は、上記課題を解決するためになされたものであり、その要旨は以下のとおりである。
【００１０】
（１）開放部を有する芯材と、該芯材を覆うように配置されると共に該芯材の開放部と整列して配置された開放部を有する被覆体と、を備える手摺笠木であって、前記芯材は、該芯材の開放部の両側に位置する二つの開放端部に設けられた被係止部を備え、前記被覆体は、本体部と、該本体部よりも硬質な材料で形成されると共に該本体部を覆うように形成される表層部と、該表層部よりも硬質な材料で形成された補強部とを備え、前記表層部は、前記被覆体の開放部の両側に位置する二つの開放端部に配置された係止部と、前記本体部の外周面上に配置された表面層と、を備え、前記被覆体の係止部は前記芯材の被係止部と係合することができるように形成され、前記補強部は、前記係止部に隣接して前記本体部と前記表面層との間に配置される、手摺笠木。
【００１１】
（２）前記被覆体には前記補強部が二つ設けられ、各補強部は、前記開放部側の端部において係止部に接すると共に周方向に部分的に延びるように形成される、上記（１）に記載の手摺笠木。
【００１２】
（３）前記補強部は、前記係止部側の端部の厚さが、該係止部側とは反対側の端部の厚さよりも厚くなるように形成される、上記（１）又は（２）に記載の手摺笠木。
【００１３】
（４）前記係止部は、内側に向かって延びる内側延在部と、該内側延在部の内側先端から周方向に折り返される折り返し部とを備え、前記折り返し部は、その外面と前記本体部の内面との間に形成される間隙が前記内側延在部から周方向に離れるにつれて狭くなるように形成される、上記（１）〜（３）のいずれか一つに記載の手摺笠木。
【発明の効果】
【００１４】
本発明によれば、芯材への被覆体の取付強度を高いものとしつつ、被覆体の係止部を芯材の係止部に容易に係止させたり外したりすることができるような手摺笠木が提供される。
【図面の簡単な説明】
【００１５】
【図１】図１は、手摺笠木が用いられる手摺を示す部分断面図である。
【図２】図２は、手摺笠木が用いられる手摺を分解された状態で示す分解斜視図である。
【図３】図３は、手摺笠木の軸線に対して垂直な断面における断面図である。
【図４】図４は、図３の破線ＩＶで示した円形部を拡大して示す断面図である。
【図５】図５は、手摺笠木の軸線に対して垂直な断面における、図３と同様な断面図である。
【図６】図６は、変形例に係る手摺笠木の被覆体を示す断面図である。
【発明を実施するための形態】
【００１６】
以下、図面を参照して本発明の実施形態について詳細に説明する。なお、以下の説明では、同様な構成要素には同一の参照番号を付す。また、本明細書では、図１、図３〜図５における上下方向を鉛直方向、左右方向を水平方向として手摺や手摺笠木の構成を説明する。しかしながら、手摺や手摺笠木が配置される向きはこの方向に限定されるものではない。
【００１７】
＜手摺の構成＞
まず、図１及び図２を参照して、本実施形態に係る手摺笠木３０が用いられる手摺１について説明する。図１は、本実施形態に係る手摺笠木３０が用いられる手摺１を示す部分断面図であり、図２は、分解された状態で手摺１を示す分解斜視図である。
【００１８】
図１及び図２に示したように、手摺１は、躯体壁２に固定されるブラケット１０と、ブラケット１０の一部を覆うカバー２０と、ブラケット１０の躯体壁２側とは反対側の端部に固定された手摺笠木３０と、を備える。図１及び図２からわかるように、本実施形態では、手摺１は、鉛直に延びる躯体壁２に固定される。
【００１９】
ブラケット１０は、例えば、金属材料で形成される。ブラケット１０は、細長い湾曲板状に形成され、一方の端部に壁面固定部１１を有し、他方の端部に笠木固定部１２を有する。ブラケット１０は、壁面固定部１１において躯体壁２に固定される。本実施形態では、壁面固定部１１は、フランジ状に形成され、貫通孔１３を有する。壁面固定部１１は、躯体壁２に埋め込まれたアンカー５に貫通孔１３を通して、ナット６をアンカー５に締め付けることにより躯体壁２に固定される。
【００２０】
ブラケット１０の壁面固定部１１には、壁面固定部１１、アンカー５及びナット６を覆うようにカバー２０が取り付けられる。したがって、カバー２０が取り付けられるとアンカー５やナット６が外部から視認することができなくなり、外観を整えることができる。
【００２１】
また、ブラケット１０は、笠木固定部１２において手摺笠木３０に固定される。本実施形態では、笠木固定部１２は、長手方向に一定間隔毎に設けられた貫通孔１４を有し、後述する手摺笠木３０の芯材４０がこの貫通孔１４を通るネジ７によって笠木固定部１２に固定される。したがって、ブラケット１０は、貫通孔１４が設けられた一定間隔毎に手摺笠木に固定される。
【００２２】
なお、本実施形態では、手摺１は、躯体壁２からブラケット１０が側方に突出するように固定される。しかしながら、手摺１は、例えば、壁の上端からブラケット１０が上方に突出するように固定されてもよい。
【００２３】
＜手摺笠木の構成＞
次に、図３及び図４を参照して、手摺笠木３０の構成について説明する。図３は、手摺笠木３０の軸線に対して垂直な断面における断面図である。図４は、図３の破線ＩＶで示した円形部を拡大して示す断面図である。
【００２４】
図１〜図３に示したように、手摺笠木３０は、芯材４０と、芯材４０を覆うように配置された被覆体５０とを備える。
【００２５】
芯材４０は、金属等の硬質な材料を押出成形することによって形成される。図２からわかるように、芯材４０は、一部が開放部４１により開放された中空の筒状に形成される。特に、本実施形態では、図３に示したように、芯材４０は、その断面において、開放部４１により開放されたほぼＣ字状の外周を有するように構成される。
【００２６】
また、芯材４０は、図３に示した断面において、その外周に複数の凹部４２を有するように形成される。図示した例では、開放部４１から周方向に９０度毎に凹部４２が３つ形成されている。凹部４２は、芯材４０をブラケット１０に固定するネジ７が芯材４０から外に突出するのを防止する。また、このように複数の凹部４２が設けられることにより、歩行者が手摺笠木３０を手で握ったときに、手が触れている被覆体５０が凹部４２内へと弾性変形し、歩行者が柔らかな感触を得ることができる。
【００２７】
芯材４０は、内面上方から下方に向けて突出する二つの縦方向突出部４３と、内面側方から反対側の内面側方に向けて水平方向に突出する二つの横方向突出部４４とを備える。芯材４０は、縦方向突出部４３の内面の間の間隔と横方向突出部４４の先端の間の間隔とが互いにほぼ同一になるように且つブラケット１０の笠木固定部１２の幅とほぼ等しくなるように形成される。図３からわかるように、芯材４０は、これら縦方向突出部４３及び横方向突出部４４が笠木固定部１２に接触することで、笠木固定部１２に対して動かないように固定される。また、図１及び図２からわかるように、芯材４０は、笠木固定部１２の貫通孔１４と芯材４０に形成された貫通孔４５とを通って締め付けられるネジ７（図１）によって笠木固定部１２に固定される。
【００２８】
また、芯材４０は、開放部４１の両側に位置する開放端部４６を有する。芯材４０は、開放端部４６間の間隔が、横方向突出部４４の先端の間の間隔よりも長くなるように形成される。本実施形態では、開放端部４６はその外周面がほぼ周方向に延びるように形成されるのに対して、その上面がほぼ水平に延びるように形成される。したがって、開放端部４６は、開放部４１から周方向に遠ざかるにつれてその厚みが薄くなるように形成される。このように構成された開放端部４６は、被覆体５０の係止部５５が係止される被係止部として機能する。
【００２９】
被覆体５０は、合成樹脂を押出成形することによって形成される。具体的には、被覆体５０は、例えばＰＶＣにより形成される。図２からわかるように、被覆体５０は、一部が開放部５１により開放された中空の筒状に形成される。特に、本実施形態では、図３に示したように、被覆体５０は、開放部５１により開放されたほぼＣ字状の断面を有するように構成される。また、被覆体５０は、その開放部５１が芯材４０の開放部４１と整列して配置されるように芯材４０に取り付けられる。
【００３０】
被覆体５０は、本体部５２と、本体部５２よりも硬質な材料で形成された表層部５３と、表層部５３よりも硬質な材料で形成された補強部５４とを備える。例えば、本体部５２はＪＩＳ−Ａ型が５０〜７０程度の硬度であり、表層部５３はＪＩＳ−Ａ型が７０〜９０程度の硬度であり、補強部５４はＪＩＳ−Ａ型が９０〜９４程度の硬度である。これら本体部５２、表層部５３及び補強部５４の硬度の調整は、例えば、合成樹脂からなる母材への可塑剤の添加量を調整することによって行われる。
【００３１】
本体部５２は、開放部５１により開放されたほぼＣ字状の断面を有するように構成される。本体部５２は、被覆体５０が芯材４０の外周上に取り付けられたときに芯材４０の外周面に当接する。したがって、本体部５２の内周面は芯材４０の外周面とほぼ同一の曲率半径で形成される。
【００３２】
表層部５３は、被覆体５０の開放部の両側に位置する二つの開放端部に配置された係止部５５と、本体部５２の外周面上に配置された表面層５６とを備える。係止部５５と表面層５６とは、係止部５５の外周と表面層５６の外周とが面一となるように一体として成形される。
【００３３】
係止部５５は、それぞれ周方向において本体部５２の開放部５１側に配置される。また、係止部５５は、被覆体５０の径方向内側に向かって延びる内側延在部５５ａと、内側延在部５５ａの内側先端から周方向に折り返される折り返し部５５ｂとを備える。内側延在部５５ａは、二つの内側延在部５５ａ間の間隔が、径方向内側に向かうにつれて徐々に大きくなるように形成される。また、内側延在部５５ａは、その週方向の幅が径方向内側に向かうにつれて徐々に小さくなるように形成される。
【００３４】
折り返し部５５ｂは、内側延在部５５ａの内側端部から、周方向において開放部５１から離れる方向に延びる。特に、本実施形態では、図４に示したように、折り返し部５５ｂの外面（本体部５２と対面する面）５５ｃと本体部５２の内面５２ａとの間に形成される間隙が、内側延在部５５ａから周方向に離れるにつれて狭くなるように形成される。
【００３５】
このように形成された係止部５５は、鉤状に形成されており、被覆体５０が芯材４０に取り付けられたときに、被係止部として機能する芯材４０の開放端部４６に係合する。
【００３６】
表面層５６は、本体部５２の外周全体を覆うように本体部５２の外側に配置され、開放部５１側の周方向の端部において係止部５５に結合される。図３に示したように、表面層５６は、開放部５１近傍の領域を除いて、本体部５２の外周面上に配置される。
【００３７】
補強部５４は、係止部５５に接して本体部５２と表面層５６との間に配置される。より具体的には、補強部５４は、その開放部５１側の端部において係止部５５に接すると共に周方向に部分的に延びる。本実施形態では、補強部５４は、被覆体５０全体の柔軟性を可能な限り確保すべく、補強部５４が周方向に長く延びないように、周方向において３０°以下に亘って、例えば約１０°程度に亘って延びる。また、補強部５４は、その内面が本体部５２の外面に接すると共に、その外面が表層部５３の表面層５６の内面と接するように配置される。
【００３８】
本実施形態では、補強部５４は、係止部５５側の端部の厚さが、係止部５５側とは反対側の端部の厚さよりも厚くなるように形成される。図３及び図４に示した例では、補強部５４は、係止部５５側の端部から係止部５５側とは反対側の端部に向かって徐々に厚さが薄くなるように形成される。
【００３９】
＜作用・効果＞
以下、図５を参照して、上記実施形態に係る手摺笠木３０によって奏される作用・効果について説明する。図５は、手摺笠木の軸線に対して垂直な断面における、図３と同様な断面図である。
【００４０】
上記実施形態に係る手摺笠木３０では、係止部５５が補強部５４よりも軟質な材料で形成される。したがって、係止部５５の折り返し部５５ｂは内側延在部５５ａに対して比較的変形し易い。
【００４１】
ここで、手摺１を組み立てる際には芯材４０がブラケット１０を介して躯体壁２に固定された後に、被覆体５０が芯材４０に取り付けられる。被覆体５０を芯材４０に取り付けるときには、折り返し部５５ｂが内側延在部５５ａに対して外向き（図５中のＸ方向）に変形することが必要になる。上述したように本実施形態では折り返し部５５ｂは内側延在部５５ａに対して比較的変形し易いことから、被覆体５０の係止部を芯材４０の被係止部（開放端部４６）に容易に係合させることができ、よって被覆体５０を芯材４０に容易に取り付けることができる。
【００４２】
また、手摺１の施工時には被覆体５０を芯材４０に適切な位置に取り付けるために被覆体５０を着脱する際には、被覆体５０を芯材４０から取り外すことも必要になる。加えて、経年劣化等により被覆体５０を取り替える際にも、被覆体５０を芯材４０から取り外すことが必要になる。被覆体５０を芯材４０から取り外すときには、折り返し部５５ｂが内側延在部５５ａに対して内向き（図５中のＹ方向）に変形することが必要になる。本実施形態では折り返し部５５ｂは内側延在部５５ａに対して比較的変形し易いことから、被覆体５０の係止部を芯材４０の被係止部（開放端部４６）から容易に外すことができ、よって被覆体５０を芯材４０から容易に取り外すことができる。
【００４３】
一方、被覆体５０が芯材４０に取り付けられた状態では、人が手摺笠木３０を握った状態でバランスを崩したようなときに、被覆体５０には周方向に回転するような力（例えば、図５に矢印Ｒで示した方向の力）が作用する。被覆体５０に斯かる力が作用すると、一方の係止部５５には芯材４０の開放端部４６から周方向（図５中のＺ方向）の力が加わる。この結果、係止部５５は、表面層５６との結合部を中心として開放部５１側に倒れるように変形しようとする。
【００４４】
ここで、本実施形態の手摺笠木３０は、係止部５５に近接して配置された補強部５４を備える。補強部５４は係止部５５よりも硬質な材料で形成されているため、変形しにくい。特に、本実施形態では、補強部５４が係止部５５に隣接して本体部５２と表面層５６との間に設けられるため、上述した表面層５６との結合部を中心とした開放部５１側に倒れるような係止部５５の変形を抑制することができる。この結果、係止部５５が意図せずに芯材４０の被係止部（開放端部４６）から外れることを抑制することができ、よって被覆体５０が意図せずに芯材４０から外れることを抑制することができる。
【００４５】
特に、本実施形態では、補強部５４は、係止部５５側の端部から係止部５５側とは反対側の端部に向かって徐々に厚さが薄くなるように形成されている。このため、補強部５４は、係止部５５が開放端部４６から周方向（図５中のＺ方向）の力を受けたときに最も大きな力が加わる係止部５５側の端部が厚くなるように形成されている。したがって、本実施形態によれば、被覆体５０全体の柔軟性を可能な限り確保しつつ、被覆体５０が意図せずに芯材４０から外れることを抑制することができる。
【００４６】
以上より、上記実施形態によれば、芯材４０への被覆体５０の取付強度を高いものとしつつ、被覆体５０の係止部５５を芯材４０の被係止部（開放端部４６）に容易に係止させたり外したりすることができるようになる。
【００４７】
また、上記実施形態では、芯材４０の開放端部４６は開放部４１から周方向に遠ざかるにつれてその厚みが薄くなるように形成されており、且つ、これに合わせて、折り返し部５５ｂの外面５５ｃと本体部５２の内面５２ａとの間に形成される間隙が内側延在部５５ａから周方向に離れるにつれて狭くなる。このため、被覆体５０が芯材４０に取り付けられたときに、係止部５５と芯材４０の開放端部４６に堅固に係合し、被覆体５０が芯材４０から意図せずに外れることが抑制される。
【００４８】
＜変形例＞
上記実施形態に係る手摺笠木３０では、補強部５４は、その開放部５１側の端部において係止部５５に接するように配置されている。しかしながら、補強部５４は、必ずしも係止部５５に接するように配置されていなくてもよく、図６に示したように、係止部５５との間に小さな間隔が開いていてもよい。ここで、係止部５５から補強部５４の開放部５１側の端部までの間隔が、例えば本体部５２の径方向の厚み以下の小さい間隔であれば、補強部５４は、表面層５６との結合部を中心とした開放部５１側に倒れるような係止部５５の変形を抑制することができる。したがって、係止部５５から補強部５４の開放部５１側の端部までの間隔は、本体部５２の径方向の最大厚み以下、好ましくは補強部５４の最大厚み以下とされる。この場合、係止部５５と補強部５４の開放部５１側の端部との間には、本体部５２が設けられる。
【００４９】
また、上記実施形態では、開放部４１の両側にそれぞれ一つずつ、合計二つの補強部５４が設けられている。しかしながら、例えば、図３に示した各補強部５４を半径方向において複数の補強部に分割して設けてもよい。この場合、例えば、開放部４１の両側にはそれぞれ二つずつ、合計四つの補強部５４が設けられる。
【符号の説明】
【００５０】
１    手摺
２    躯体壁
１０    ブラケット
２０    カバー
３０    手摺笠木
４０    芯材
４１    開放部
４６    開放端部
５０    被覆体
５１    開放部
５２    本体部
５３    表層部
５４    補強部
５５    係止部
５６    表面層
【図１】
2019218739.tif 000003
【図２】
2019218739.tif 000004
【図３】
2019218739.tif 000005
【図４】
2019218739.tif 000006
【図５】
2019218739.tif 000007
【図６】
2019218739.tif 000008